(57)【特許請求の範囲】
【請求項１】
第１のタイプのネットワークと、第２のタイプのネットワークとを含む無線通信システムにおいて、ユーザ装置(ＵＥ)により実行されるＩＳＲ(ｉｄｌｅ ｍｏｄｅ ｓｉｇｎａｌｉｎｇ ｒｅｄｕｃｔｉｏｎ)機能に関連するタイマを制御する方法であって、
前記ＩＳＲ機能が駆動(ｅｎａｂｌｅ)されたことを指示するＵＥ位置登録受諾メッセージ(ＵＥ ｌｏｃａｔｉｏｎ ｒｅｇｉｓｔｒａｔｉｏｎ ａｃｃｅｐｔ ｍｅｓｓａｇｅ)を受信するステップと、
前記ＩＳＲ機能が駆動されると、Ｐ−ＴＡＵ(ｐｅｒｉｏｄｉｃ ｔｒａｃｋｉｎｇ ａｒｅａ ｕｐｄａｔｉｎｇ)タイマ及びＰ−ＲＡＵ(ｐｅｒｉｏｄｉｃ ｒｏｕｔｉｎｇ ａｒｅａ ｕｐｄａｔｅ)タイマの動作を保持するステップであって、前記Ｐ−ＴＡＵタイマ及び前記Ｐ−ＲＡＵタイマは、ＵＥ内で、独立に、ＭＭＥ(ｍｏｂｉｌｉｔｙ ｍａｎａｇｅｍｅｎｔ ｅｎｔｉｔｙ)及びＳＧＳＮ(ｓｅｒｖｉｎｇ ＧＰＲＳ ｓｕｐｐｏｒｔ ｎｏｄｅ)を更新するために動作する、ステップと、
前記Ｐ−ＴＡＵタイマが満了し、移動性管理バックオフ（ｍｏｂｉｌｉｔｙ ｍａｎａｇｅｍｅｎｔ ｂａｃｋｏｆｆ：ＭＭ−ＢＯ）タイマが動作中である場合、前記第１のタイプのネットワークに対応するＩＳＲ非活性化タイマ(ｄｅａｃｔｉｖａｔｅ ＩＳＲ ｔｉｍｅｒ)を開始するステップと、を含み、
前記ＵＥがＭＭ−ＢＯタイム値を受信するとき、前記ＭＭ−ＢＯタイマが前記ＵＥ内で開始するように構成されたタイマである、方法。
【請求項２】
前記ＵＥ位置登録受諾メッセージは、前記第１のタイプのネットワークを介して受信されるＴＡＵ受諾メッセージである、請求項１に記載の方法。
【請求項３】
前記ＵＥ位置登録受諾メッセージは、前記第２のタイプのネットワークを介して受信されるＲＡＵ(ｒｏｕｔｉｎｇ ａｒｅａ ｕｐｄａｔｅ)受諾メッセージである、請求項１に記載の方法。
【請求項４】
前記ＭＭ−ＢＯタイム値は制御メッセージに含まれ、
前記制御メッセージは、ＲＲＣ(ｒａｄｉｏ ｒｅｓｏｕｒｃｅ ｃｏｎｔｒｏｌ)連結解除メッセージ、ＲＲＣ連結拒絶メッセージ、ＲＡＵ拒絶メッセージ又はＴＡＵ拒絶メッセージである、請求項１に記載の方法。
【請求項５】
第１のタイプのネットワークと、第２のタイプのネットワークとを含む無線通信システムにおいて、ＩＳＲ(ｉｄｌｅ ｍｏｄｅ ｓｉｇｎａｌｉｎｇ ｒｅｄｕｃｔｉｏｎ)機能に関連するタイマを制御するユーザ装置（ＵＥ）であって、
信号を送受信する無線周波（ＲＦ）ユニットと、
前記ＲＦユニットと接続され、
前記ＩＳＲ機能が駆動(ｅｎａｂｌｅ)されたことを指示するＵＥ位置登録受諾メッセージ(ＵＥ ｌｏｃａｔｉｏｎ ｒｅｇｉｓｔｒａｔｉｏｎ ａｃｃｅｐｔ ｍｅｓｓａｇｅ)を受信し、
前記ＩＳＲ機能が駆動されると、Ｐ−ＴＡＵ(ｐｅｒｉｏｄｉｃ ｔｒａｃｋｉｎｇ ａｒｅａ ｕｐｄａｔｉｎｇ)タイマ及びＰ−ＲＡＵ(ｐｅｒｉｏｄｉｃ ｒｏｕｔｉｎｇ ａｒｅａ ｕｐｄａｔｅ)タイマの動作を保持し、前記Ｐ−ＴＡＵタイマ及び前記Ｐ−ＲＡＵタイマは、ＵＥ内で、ＭＭＥ(ｍｏｂｉｌｉｔｙ ｍａｎａｇｅｍｅｎｔ ｅｎｔｉｔｙ)及びＳＧＳＮ(ｓｅｒｖｉｎｇ ＧＰＲＳ ｓｕｐｐｏｒｔ ｎｏｄｅ)を更新するために動作し、
前記Ｐ−ＴＡＵタイマが満了し、移動性管理バックオフ（ｍｏｂｉｌｉｔｙ ｍａｎａｇｅｍｅｎｔ ｂａｃｋｏｆｆ：ＭＭ−ＢＯ）タイマが動作中である場合、前記第１のタイプのネットワークに対応するＩＳＲ非活性化タイマ(ｄｅａｃｔｉｖａｔｅ ＩＳＲ ｔｉｍｅｒ)を開始し、
前記ＵＥがＭＭ−ＢＯタイム値を受信するとき、前記ＭＭ−ＢＯタイマが前記ＵＥ内で開始するように構成されるプロセッサとを含む、ユーザ装置(ＵＥ)。
【請求項６】
前記ＵＥ位置登録受諾メッセージは、前記第１のタイプのネットワークを介して受信されるＴＡＵ受諾メッセージである、請求項５に記載のユーザ装置（ＵＥ）。
【請求項７】
前記ＵＥ位置登録受諾メッセージは、前記第２のタイプのネットワークを介して受信されるＲＡＵ(ｒｏｕｔｉｎｇ ａｒｅａ ｕｐｄａｔｅ)受諾メッセージである、請求項５に記載のユーザ装置（ＵＥ）。
【請求項８】
前記ＭＭ−ＢＯタイム値は制御メッセージに含まれ、
前記制御メッセージは、ＲＲＣ(ｒａｄｉｏ ｒｅｓｏｕｒｃｅ ｃｏｎｔｒｏｌ)連結解除メッセージ、ＲＲＣ連結拒絶メッセージ、ＲＡＵ拒絶メッセージ又はＴＡＵ拒絶メッセージである、請求項５に記載のユーザ装置（ＵＥ）。
【発明の詳細な説明】
【技術分野】
【０００１】
本明細書の技術的特徴は、複数のＯＦＤＭ(ｏｒｔｈｏｇｏｎａｌ ｆｒｅｑｕｅｎｃｙ ｄｉｖｉｓｉｏｎ ｍｕｌｔｉｐｌｅ)シンボルを使用する無線システムに関し、より具体的には、ＩＳＲ(ｉｄｌｅ ｍｏｄｅ ｓｉｇｎａｌｌｉｎｇ ｒｅｄｕｃｔｉｏｎ)に関連するデータ及びタイマを制御する方法に関する。
【背景技術】
【０００２】
３ＧＰＰ(Ｔｈｉｒｄ Ｇｅｎｅｒａｔｉｏｎ Ｐａｒｔｎｅｒｓｈｉｐ Ｐｒｏｊｅｃｔ)ＬＴＥ(Ｌｏｎｇ Ｔｅｒｍ Ｅｖｏｌｕｔｉｏｎ)は、ＵＭＴＳ(Ｕｎｉｖｅｒｓａｌ Ｍｏｂｉｌｅ Ｔｅｌｅｃｏｍｍｕｎｉｃａｔｉｏｎｓ Ｓｙｓｔｅｍ)システムが改善されたものであり、３ＧＰＰリリース８で紹介されている。３ＧＰＰ ＬＴＥは、ＯＦＤＭＡ(ｏｒｔｈｏｇｏｎａｌ ｆｒｅｑｕｅｎｃｙ ｄｉｖｉｓｉｏｎ ｍｕｌｔｉｐｌｅ ａｃｃｅｓｓ)技法をダウンリンク(ｄｏｗｎｌｉｎｋ)のために使用し、ＳＣ−ＦＤＭＡ(ｓｉｎｇｌｅ ｃａｒｒｉｅｒ ｆｒｅｑｕｅｎｃｙ ｄｉｖｉｓｉｏｎ ｍｕｌｔｉｐｌｅ ａｃｃｅｓｓ)技法をアップリンクのために使用し、最大４個のアンテナのためのＭＩＭＯ(ｍｕｌｔｉｐｌｅ ｉｎｐｕｔ ｍｕｌｔｉｐｌｅ ｏｕｔｐｕｔ)技法を採用した。最近、３ＧＰＰ ＬＴＥの主な改善である３ＧＰＰ ＬＴＥ−Ａ(ＬＴＥ−Ａｄｖａｎｃｅｄ)に対する議論が進行している。
【０００３】
３ＧＰＰ ＬＴＥシステムは、ユーザ装置(ｕｓｅｒ ｅｑｕｉｐｍｅｎｔ；ＵＥ)が２Ｇ/３Ｇネットワークに関連するルーティング領域(ｒｏｕｔｉｎｇ ａｒｅａ；ＲＡ)とＬＴＥネットワークに関連するトラッキング領域(ｔｒａｃｋｉｎｇ ａｒｅａ；ＴＡ)に同時に登録(ｒｅｇｉｓｔｅｒ)されるようにするＩＳＲ(ｉｄｌｅ ｍｏｄｅ ｓｉｇｎａｌｌｉｎｇ ｒｅｄｕｃｔｉｏｎ)機能をサポートする。このようなＩＳＲ機能は、ＵＥに追加的なシグナリング無くＬＴＥと２Ｇ/３Ｇとの間でセル−再選択(ｃｅｌｌ ｒｅｓｅｌｅｃｔｉｏｎ)を実行可能にする。結果的に、ＩＳＲは、ＵＥのバッテリ寿命を改善し、移動性(ｍｏｂｉｌｉｔｙ)に関連するシグナリングを減少させることができるということが特徴である。
【発明の概要】
【課題を解決するための手段】
【０００４】
本明細書の技術的特徴は、複数のＯＦＤＭシンボルに基づいて通信を実行する無線ネットワークにおいて、ベアラリソース、セッション管理、及び/又は移動性管理のための方法及び装置を提案することである。また、本明細書の技術的特徴は、ＩＳＲ機能に関連する複数のタイマを提案する方法及び無線装置を提案することである。この方法は、第１のタイプのネットワークの範囲と第２のタイプのネットワークの範囲との間で移動するユーザ装置(ｕｓｅｒ ｅｑｕｉｐｍｅｎｔ；ＵＥ)に適用可能である。
【０００５】
一態様によると、前記ＩＳＲ機能が駆動(ｅｎａｂｌｅ)されたことを指示するＵＥ位置登録受諾メッセージ(ＵＥ ｌｏｃａｔｉｏｎ ｒｅｇｉｓｔｒａｔｉｏｎ ａｃｃｅｐｔ ｍｅｓｓａｇｅ)を受信するステップと、前記第１のタイプのネットワークのためのＵＥ位置登録受諾メッセージが受信される場合、前記ＵＥの動作可能性(ａｖａｉｌａｂｉｌｉｔｙ)を周期的に通報するために使われるＰ−ＴＡＵ(ｐｅｒｉｏｄｉｃ ｔｒａｃｋｉｎｇ ａｒｅａ ｕｐｄａｔｉｎｇ)タイマを開始するステップと、ＭＭ−ＢＯ(ｍｏｂｉｌｉｔｙ ｍａｎａｇｅｍｅｎｔ ｂａｃｋｏｆｆ)時間値が含まれている制御メッセージを受信するステップと、前記ＭＭ−ＢＯ時間値に基づいてＭＭ−ＢＯタイマを開始するステップと、前記ＵＥが前記第１のタイプのネットワークの範囲(ｃｏｖｅｒａｇｅ)内にある間、前記ＭＭ−ＢＯタイマが動作中であり、前記Ｐ−ＴＡＵタイマが満了する場合、前記第１のタイプのネットワークに対応されるＩＳＲ非活性化タイマ(ｄｅａｃｔｉｖａｔｅ ＩＳＲ ｔｉｍｅｒ)を開始するステップと、を含む。
【０００６】
前記ＵＥ位置登録受諾メッセージは、前記第１のタイプのネットワークを介して受信されるＴＡＵ受諾メッセージである。
【０００７】
前記ＵＥ位置登録受諾メッセージは、前記第２のタイプのネットワークを介して受信されるＲＡＵ(ｒｏｕｔｉｎｇ ａｒｅａ ｕｐｄａｔｅ)受諾メッセージである。
【０００８】
前記制御メッセージは、ＲＲＣ(ｒａｄｉｏ ｒｅｓｏｕｒｃｅ ｃｏｎｔｒｏｌ)連結解除メッセージ、ＲＲＣ連結拒絶メッセージ、ＲＡＵ拒絶メッセージ又はＴＡＵ拒絶メッセージである。
【０００９】
前記方法は、前記ＵＥ位置登録受諾メッセージに対応して、Ｐ−ＲＡＵ(ｐｅｒｉｏｄｉｃ ｒｏｕｔｉｎｇ ａｒｅａ ｕｐｄａｔｅ)タイマを開始するステップをさらに含み、前記Ｐ−ＴＡＵ及びＰ−ＲＡＵタイマは、ＵＥ内で、各々、ＭＭＥ(ｍｏｂｉｌｉｔｙ ｍａｎａｇｅｍｅｎｔ ｅｎｔｉｔｙ)及びＳＧＳＮ(ｓｅｒｖｉｎｇ ＧＰＲＳ ｓｕｐｐｏｒｔ ｎｏｄｅ)を更新するために動作され、前記ＭＭＥは、前記第１のタイプのネットワークに関連し、前記ＳＧＳＮは、前記第２のタイプのネットワークに関連する。
【００１０】
前記方法は、前記第１のタイプのネットワークに対応されるＩＳＲ非活性化タイマが開始された後、ＵＥが前記第１のタイプのネットワークの範囲(ｃｏｖｅｒａｇｅ)内にあり、前記ＭＭ−ＢＯタイマが満了する場合、ＴＡＵ(ｔｒａｃｋｉｎｇ ａｒｅａ ｕｐｄａｔｅ)要求を送信するステップをさらに含む。
【００１１】
前記方法は、前記ＩＳＲ非活性化タイマが満了した後、ＲＡＵ又はＴＡＵ手順に関連するＵＥのＴＩＮ(Ｔｅｍｐｏｒａｒｙ Ｉｄｅｎｔｉｆｉｅｒ ｕｓｅｄ ｉｎ Ｎｅｘｔ ｕｐｄａｔｅ)をＰ−ＴＭＳＩ(Ｐａｃｋｅｔ Ｔｅｍｐｏｒａｒｙ Ｍｏｂｉｌｅ Ｉｄｅｎｔｉｔｙ)に設定するステップをさらに含む。
【００１２】
他の一態様によると、ユーザ装置(ＵＥ)が追加に提案される。該当ユーザ装置(ＵＥ)は、前記ＩＳＲ機能が駆動(ｅｎａｂｌｅ)されたことを指示するＵＥ位置登録受諾メッセージ(ＵＥ ｌｏｃａｔｉｏｎ ｒｅｇｉｓｔｒａｔｉｏｎ ａｃｃｅｐｔ ｍｅｓｓａｇｅ)を受信し、前記第１のタイプのネットワークのためのＵＥ位置登録受諾メッセージが受信される場合、前記ＵＥの動作可能性(ａｖａｉｌａｂｉｌｉｔｙ)を周期的に通報するために使われるＰ−ＴＡＵ(ｐｅｒｉｏｄｉｃ ｔｒａｃｋｉｎｇ ａｒｅａ ｕｐｄａｔｉｎｇ)タイマを開始し、ＭＭ−ＢＯ(ｍｏｂｉｌｉｔｙ ｍａｎａｇｅｍｅｎｔ ｂａｃｋｏｆｆ)時間値が含まれている制御メッセージを受信し、前記ＭＭ−ＢＯ時間値に基づいてＭＭ−ＢＯタイマを開始し、及び前記ＵＥが前記第１のタイプのネットワークの範囲(ｃｏｖｅｒａｇｅ)内にある間、前記ＭＭ−ＢＯタイマが動作中であり、前記Ｐ−ＴＡＵタイマが満了する場合、前記第１のタイプのネットワークに対応されるＩＳＲ非活性化タイマ(ｄｅａｃｔｉｖａｔｅ ＩＳＲ ｔｉｍｅｒ)を開始するように設定されるプロセッサを含む。
【図面の簡単な説明】
【００１３】
【図１】ＬＴＥシステムに関連するＥＰＳ(Ｅｖｏｌｖｅｄ Ｐａｃｋｅｔ Ｓｙｓｔｅｍ)を示す。
【図２】以下の技術的特徴が適用されるＥ−ＵＴＲＡＮの全体的な構造を示す。
【図３】複数のインターフェースを通過するＥＰＳベアラを示す。
【図４】ＴＩＮを使用してＩＳＲ活性化を実行する過程を示すフローチャートである。
【図５】ＩＳＲ機能と関連する手順を示すフローチャートである。
【図６】無線通信システムにおいてＩＳＲ機能に関連するタイマを制御する方法を示すフローチャートである。
【図７】ＳＭタイマを制御するフローチャートである。
【図８】前述した一例が適用される無線装置の一例を示す。
【発明を実施するための形態】
【００１４】
以下で説明する技術的特徴は、多様な無線通信システムに使われることができ、ＣＤＭＡ(ｃｏｄｅ ｄｉｖｉｓｉｏｎ ｍｕｌｔｉｐｌｅ ａｃｃｅｓｓ)、ＦＤＭＡ(ｆｒｅｑｕｅｎｃｙ ｄｉｖｉｓｉｏｎ ｍｕｌｔｉｐｌｅ ａｃｃｅｓｓ)、ＴＤＭＡ(ｔｉｍｅ ｄｉｖｉｓｉｏｎ ｍｕｌｔｉｐｌｅ ａｃｃｅｓｓ)、ＯＦＤＭＡ(ｏｒｔｈｏｇｏｎａｌ ｆｒｅｑｕｅｎｃｙ ｄｉｖｉｓｉｏｎ ｍｕｌｔｉｐｌｅ ａｃｃｅｓｓ)、ＳＣ−ＦＤＭＡ(ｓｉｎｇｌｅ ｃａｒｒｉｅｒ ｆｒｅｑｕｅｎｃｙ ｄｉｖｉｓｉｏｎ ｍｕｌｔｉｐｌｅ ａｃｃｅｓｓ)などの多様なシステムで使われることができる。ＣＤＭＡは、ＵＴＲＡ(ｕｎｉｖｅｒｓａｌ ｔｅｒｒｅｓｔｒｉａｌ ｒａｄｉｏ ａｃｃｅｓｓ)又はＣＤＭＡ−２０００システム形態の無線技術で具現することができる。ＯＦＤＭＡは、ＩＥＥＥ８０２.１１(Ｗｉ−Ｆｉ)、ＩＥＥＥ８０２.１６(ＷｉＭＡＸ)、ＩＥＥＥ８０２.２０、Ｅ−ＵＴＲＡ(ｅｖｏｌｖｅｄ ＵＴＲＡ)などの無線技術で具現することができる。ＵＴＲＡは、ＵＭＴＳ(ｕｎｉｖｅｒｓａｌ ｍｏｂｉｌｅ ｔｅｌｅｃｏｍｍｕｎｉｃａｔｉｏｎ ｓｙｓｔｅｍ)の一部である。３ＧＰＰ ＬＴＥ(３ｒｄ ｇｅｎｅｒａｔｉｏｎ ｐａｒｔｎｅｒｓｈｉｐ ｐｒｏｊｅｃｔ ｌｏｎｇ ｔｅｒｍ ｅｖｏｌｕｔｉｏｎ)は、Ｅ−ＵＴＲＡを使用するＥ−ＵＭＴＳ(ｅｖｏｌｖｅｄ ＵＭＴＳ)の一部である。３ＧＰＰ ＬＴＥは、ダウンリンクでＯＦＤＭＡ技法を使用し、アップリンクでＳＣ−ＦＤＭＡ技法を使用する。以下、説明の便宜のために、３ＧＰＰ ＬＴＥ又は３ＧＰＰ ＬＴＥ−Ａを中心に説明する。しかし、本明細書の技術的特徴がこれに制限されるものではない。
【００１５】
図１は、ＬＴＥシステムに関連するＥＰＳ(Ｅｖｏｌｖｅｄ Ｐａｃｋｅｔ Ｓｙｓｔｅｍ)を示す。ＬＴＥシステムは、ユーザ端末(ＵＥ)とＰＤＮ(ｐａｃｋ ｄａｔａ ｎｅｔｗｏｒｋ)との間に、ユーザが移動中に最終ユーザの応用プログラムの使用を妨害せず、シームレスＩＰ連結性(Ｉｎｔｅｒｎｅｔ Ｐｒｏｔｏｃｏｌ ｃｏｎｎｅｃｔｉｖｉｔｙ)を提供することを目標にする。ＬＴＥシステムは、ユーザ端末と基地局との間の無線プロトコル構造(ｒａｄｉｏ ｐｒｏｔｏｃｏｌ ａｒｃｈｉｔｅｃｔｕｒｅ)を定義するＥ−ＵＴＲＡＮ(Ｅｖｏｌｖｅｄ Ｕｎｉｖｅｒｓａｌ Ｔｅｒｒｅｓｔｒｉａｌ Ｒａｄｉｏ Ａｃｃｅｓｓ Ｎｅｔｗｏｒｋ)を介した無線接続の進化を達成し、これはＥＰＣ(Ｅｖｏｌｖｅｄ Ｐａｃｋｅｔ Ｃｏｒｅ)ネットワークを含むＳＡＥ(Ｓｙｓｔｅｍ Ａｒｃｈｉｔｅｃｔｕｒｅ Ｅｖｏｌｕｔｉｏｎ)により非無線的側面での進化を介しても達成される。ＬＴＥとＳＡＥは、ＥＰＳ(Ｅｖｏｌｖｅｄ Ｐａｃｋｅｔ Ｓｙｓｔｅｍ)を含む。
【００１６】
ＥＰＳは、ＰＤＮ内でゲートウェイ(ｇａｔｅｗａｙ)からユーザ端末にＩＰトラフィックをルーティングするためにＥＰＳベアラ(ＥＰＳ ｂｅａｒｅｒｓ)という概念を使用する。ベアラ(ｂｅａｒｅｒ)は、前記ゲートウェイとユーザ端末との間に特定のＱｏＳ(Ｑｕａｌｉｔｙ ｏｆ Ｓｅｒｖｉｃｅ)を有するＩＰパケットフロー(ＩＰ ｐａｃｋｅｔ ｆｌｏｗ)である。Ｅ−ＵＴＲＡＮとＥＰＣは、応用プログラムにより要求されるベアラを共に設定したり解除(ｒｅｌｅａｓｅ)したりする。
【００１７】
ＥＰＣは、ＣＮ(ｃｏｒｅ ｎｅｔｗｏｒｋ)と呼ばれ、ＵＥを制御し、ベアラの設定を管理する。図１に示すように、前記ＳＡＥのＥＰＣのノード(論理的又は物理的ノード)は、ＭＭＥ(Ｍｏｂｉｌｉｔｙ Ｍａｎａｇｅｍｅｎｔ Ｅｎｔｉｔｙ)１０、ＰＤＮ−ＧＷ又はＰ−ＧＷ(ＰＤＮ ｇａｔｅｗａｙ)３０、Ｓ−ＧＷ(Ｓｅｒｖｉｎｇ Ｇａｔｅｗａｙ)２０、ＰＣＲＦ(Ｐｏｌｉｃｙ ａｎｄ Ｃｈａｒｇｉｎｇ Ｒｕｌｅｓ Ｆｕｎｃｔｉｏｎ)４０、ＨＳＳ(Ｈｏｍｅ ｓｕｂｓｃｒｉｂｅｒ Ｓｅｒｖｅｒ)５０などを含む。
【００１８】
ＭＭＥ１０は、ＵＥとＣＮとの間のシグナリングを処理する制御ノードである。ＵＥとＣＮとの間に交換されるプロトコルは、ＮＡＳ(Ｎｏｎ−Ａｃｃｅｓｓ Ｓｔｒａｔｕｍ)プロトコルとして知られている。ＭＭＥ１０によりサポートされる機能の一例は、ベアラの設定、管理、解除を含んでＮＡＳプロトコル内のセッション管理階層(ｓｅｓｓｉｏｎ ｍａｎａｇｅｍｅｎｔ ｌａｙｅｒ)により操作されるベアラ管理(ｂｅａｒｅｒ ｍａｎａｇｅｍｅｎｔ)に関連する機能、ネットワークとＵＥとの間の連結(ｃｏｎｎｅｃｔｉｏｎ)及びセキュリティ(Ｓｅｃｕｒｉｔｙ)の設立に含んでＮＡＳプロトコル階層で連結階層又は移動制御階層(ｍｏｂｉｌｉｔｙ ｍａｎａｇｅｍｅｎｔ ｌａｙｅｒ)により操作される。
【００１９】
Ｓ−ＧＷ２０は、ＵＥが基地局(ｅＮｏｄｅＢ)間に移動する時、データベアラのためのローカル移動性アンカー(ｌｏｃａｌ ｍｏｂｉｌｉｔｙ ａｎｃｈｏｒ)の役割をする。全てのユーザＩＰパケットは、Ｓ−ＧＷ２０を介して送信される。また、Ｓ−ＧＷ２０は、ＵＥがＥＣＭ−ＩＤＬＥ状態として知られているアイドル状態(ｉｄｌｅ ｓｔａｔｅ)にあり、ＭＭＥがベアラを再設定(ｒｅ−ｅｓｔａｂｌｉｓｈ)するためにＵＥのページングを開始する間にダウンリンクデータを臨時にバッファリングする時、ベアラに関連する情報を維持する。また、ＧＰＲＳ(Ｇｅｎｅｒａｌ Ｐａｃｋｅｔ Ｒａｄｉｏ Ｓｅｒｖｉｃｅ)、ＵＭＴＳ(Ｕｎｉｖｅｒｓａｌ Ｍｏｂｉｌｅ Ｔｅｌｅｃｏｍｍｕｎｉｃａｔｉｏｎｓ Ｓｙｓｔｅｍ)のような他の３ＧＰＰ技術とのインターワーキング(ｉｎｔｅｒ−ｗｏｒｋｉｎｇ)のための移動性アンカー(ｍｏｂｉｌｉｔｙ ａｎｃｈｏｒ)の役割を遂行する。
【００２０】
Ｐ−ＧＷ３０は、ＵＥのためのＩＰアドレス割当を実行し、ＱｏＳ執行(Ｑｏｓ ｅｎｆｏｒｃｅｍｅｎｔ)及びＰＣＲＦ４０からの規則によってフローベースのチャージング(ｆｌｏｗ−ｂａｓｅｄ ｃｈａｒｇｉｎｇ)を実行する。Ｐ−ＧＷ３０は、ＧＢＲベアラ(Ｇｕａｒａｎｔｅｅｄ Ｂｉｔ Ｒａｔｅ (ＧＢＲ) ｂｅａｒｅｒｓ)のためのＱｏＳ執行を実行する。また、ＣＤＭＡ２０００やＷｉＭＡＸネットワークのような非３ＧＰＰ(ｎｏｎ−３ＧＰＰ)技術とのインターワーキングのための移動性アンカー(ｍｏｂｉｌｉｔｙ ａｎｃｈｏｒ)役割も遂行する。
【００２１】
ＰＣＲＦ４０は、政策制御意思決定(ｐｏｌｉｃｙ ｃｏｎｔｒｏｌ ｄｅｃｉｓｉｏｎ−ｍａｋｉｎｇ)を実行し、フローベースのチャージング(ｆｌｏｗ−ｂａｓｅｄ ｃｈａｒｇｉｎｇ)を実行する。
【００２２】
ＨＳＳ５０は、ＨＬＲ(Ｈｏｍｅ Ｌｏｃａｔｉｏｎ Ｒｅｇｉｓｔｅｒ)とも呼ばれ、ＥＰＳ−ｓｕｂｓｃｒｉｂｅｄ ＱｏＳプロファイル(ｐｒｏｆｉｌｅ)及びローミングのための接続制御に情報などを含むＳＡＥ加入データ(ＳＡＥ ｓｕｂｓｃｒｉｐｔｉｏｎ ｄａｔａ)を含む。また、ユーザが接続するＰＤＮに対する情報も含む。このような情報は、ＡＰＮ(Ａｃｃｅｓｓ Ｐｏｉｎｔ Ｎａｍｅ)形態で維持されることができ、ＡＰＮは、ＤＮＳ(Ｄｏｍａｉｎ Ｎａｍｅ ｓｙｓｔｅｍ)ベースのラベル(ｌａｂｅｌ)であり、ＰＤＮに対するアクセスポイント又は加入したＩＰアドレスを示すＰＤＮアドレスを説明する識別技法である。
【００２３】
図１に示すように、ＥＰＳネットワーク要素(ＥＰＳ ｎｅｔｗｏｒｋ ｅｌｅｍｅｎｔｓ)間にはＳ１−Ｕ、Ｓ１−ＭＭＥ、Ｓ５/Ｓ８、Ｓ１１、Ｓ６ａ、Ｇｘ、Ｒｘ、及びＳＧｉのような多様なインターフェースを定義することができる。
【００２４】
図２は、以下の技術的特徴が適用されるＥ−ＵＴＲＡＮの全体的な構造を示す。
【００２５】
Ｅ−ＵＴＲＡＮは、ＵＥ２１０にユーザ平面(ｕｓｅｒ ｐｌａｎｅ)及び制御平面(ｃｏｎｔｒｏｌ ｐｌａｎｅ)を提供する少なくとも一つの基地局(ｅｖｏｌｖｅｄ−ＮｏｄｅＢ；ｅＮＢ)２００を含む。ＵＥは、固定されてもよいし、移動性を有してもよく、ＭＳ(Ｍｏｂｉｌｅ Ｓｔａｔｉｏｎ)、ＵＴ(Ｕｓｅｒ Ｔｅｒｍｉｎａｌ)、ＳＳ(Ｓｕｂｓｃｒｉｂｅｒ Ｓｔａｔｉｏｎ)、ＭＴ(ｍｏｂｉｌｅ ｔｅｒｍｉｎａｌ)、無線装備(ｗｉｒｅｌｅｓｓ ｄｅｖｉｃｅ)などの多様な表現で呼ばれることができる。基地局２００は、ＵＥと通信する固定装備であり、ＢＳ(ｂａｓｅ ｓｔａｔｉｏｎ)、ＮＢ(ＮｏｄｅＢ)、ＢＴＳ(Ｂａｓｅ Ｔｒａｎｓｃｅｉｖｅｒ Ｓｙｓｔｅｍ)、アクセスポイント(Ａｃｃｅｓｓ ｐｏｉｎｔ)などの多様な表現で呼ばれることができる。
【００２６】
基地局２００とＵＥ２１０との間にはＡＳプロトコル(Ａｃｃｅｓｓ Ｓｔｒａｔｕｍ ｐｒｏｔｏｃｏｌ)として知られているプロトコルが運営される。
【００２７】
基地局２００は、Ｘ２インターフェースを介して互いに連結される。また、基地局２００は、前述したＥＰＣ要素とＳ１インターフェースを介して連結され、具体的に、ＭＭＥとはＳ１−ＭＭＥを介して連結され、Ｓ−ＧＷとはＳ１−Ｕを介して連結される。
【００２８】
図２に示すＥ−ＵＴＲＮは、ホーム基地局(Ｈｏｍｅ ｅｖｏｌｖｅｄ ＮｏｄｅＢ；ＨｅＮＢ)２２０及びＨｅＮＢ ＧＷ(ＨｅＮＢ ｇａｔｅｗａｙ)２３０を含むことができる。
【００２９】
ＨｅＮＢ２２０は、基本的に一般的な基地局と類似するが、ユーザが直接設置する一般的に簡単な装備である。ＨｅＮＢ２２０は、ｈＮＢ(ｈｏｍｅ ＮＢ(ｈＮＢ)、フェムトセル(Ｆｅｍｔｏ−ｃｅｌｌ)、ホームセルラー基地局(ｈｏｍｅ ｃｅｌｌｕｌａｒ ｂａｓｅ ｓｔａｔｉｏｎ)などで呼ばれる。ＨｅＮＢ２２０は、通常的なセルラーネットワーク無線インターフェースを介して通信するという点と、セルラーネットワーク事業者のコアネットワーク(ＣＮ)を光通信、ＤＳＬ、ケーブル加入者網等を介してインターネット接続のような代替ネットワーク接続を実行するという点と、でセルラーネットワークのように動作する。一般的に、ＨｅＮＢ２２０は、無線通信サービス提供者が有する基地局に比べて、低い無線送信出力パワーを有する。したがって、ＨｅＮＢ２２０により提供されるサービスカバレッジは、ｅＮＢ２００により提供されるサービスカバレッジに比べて小さいのが一般的である。このような特徴により、サービスカバレッジの側面から見る時、ＨｅＮＢ２２０により提供されるセルは、フェムトセルと呼ばれ、ｅＮＢ２００により提供されるセルは、マクロセルと呼ばれることができる。
【００３０】
以下、ＡＰＮ(Ａｃｃｅｓｓ Ｐｏｉｎｔ Ｎａｍｅ)の概念を説明する。ＡＰＮは、要求したサービスがネットワークに接続するためにＰ−ＧＷを通過する場合、Ｐ−ＧＷを検索するためにネットワーク内で既存に定義されたアクセスポイントの名称を意味する。ＡＰＮは、ＵＥに提供され、ＵＥは、ＡＰＮに基づいてデータの送/受信のために適切なＰ−ＧＷを決定することができる。
【００３１】
サービス提供者に連結する場合、ＡＰＮは、無線装置により使われる設定可能なネットワーク識別子である。サービス提供者は、どんなタイプのネットワーク連結が生成されなければならないかをこのような識別子を介して検査することができる。例えば、どんなＩＰアドレスが無線装置に割り当てられなければならないか、又はどんなセキュリティ技法が使われなければならないか、又は個別顧客ネットワークにどのように接続することができるかなどを決定することができる。より具体的に、ＡＰＮは、無線データユーザが通信することを所望するＩＰ ＰＤＮを識別することができる。ＰＤＮを識別することに追加し、ＡＰＮは、サービスタイプを定義するときに使われることもできる。ＡＰＮは、ＧＰＲＳ(ｇｅｎｅｒａｌ ｐａｃｋｅｔ ｒａｄｉｏ ｓｅｒｖｉｃｅ)及びＥＰＣ(ｅｖｏｌｖｅｄ ｐａｃｋｅｔ ｃｏｒｅ)のような多様なアクセスネットワークで使われることができる。
【００３２】
以下、ＥＰＳベアラ(ｂｅａｒｅｒ)の概念を説明する。ＥＰＳ(Ｅｖｏｌｖｅｄ Ｐａｃｋｅｔ Ｓｙｓｔｅｍ)は、ＰＤＮ内でゲートウェイからＵＥにＩＰトラフィックをルーティングするためにＥＰＳベアラの概念を使用する。ＥＰＳベアラは、ゲートウェイとＵＥとの間のＱｏＳ(Ｑｕａｌｉｔｙ ｏｆ Ｓｅｒｖｉｃｅ)に基づいたＩＰパケットフロー(ｐａｃｋｅｔ ｆｌｏｗ)である。Ｅ−ＵＴＲＡＮとＥＰＣは、応用プログラムの要求によって、共にＥＰＳベアラを設定したり解除したりすることができる。
【００３３】
ＥＰＳベアラは、一般的にＱｏＳ(Ｑｕａｌｉｔｙ ｏｆ Ｓｅｒｖｉｃｅ)と関連する。複数のベアラは、互いに異なるＱｏＳをサポートしたり、互いに異なるＰＤＮに連結されたりするために、ユーザに設定されることができる。例えば、音声通話(例えば、ＶｏＩＰ)に関連するユーザは、同時にＦＴＰ(Ｆｉｌｅ Ｔｒａｎｓｆｅｒ Ｐｒｏｔｏｃｏｌ)ダウンロードを実行したり、ウェブブラウジングを実行したりすることができる。この場合、ＶｏＩＰベアラは、音声通話のために必要なＱｏＳを提供し、ウェブブラウジングやＦＴＰセッションのためには“ｂｅｓｔ−ｅｆｆｏｒｔ”ベアラを割り当てることができる。
【００３４】
概略的に、ＥＰＳベアラは、提供されるＱｏＳの属性によって二つのカテゴリに区分することができる。このような二つのカテゴリは、最小ＧＢＲ(Ｇｕａｒａｎｔｅｅｄ Ｂｉｔ Ｒａｔｅ)ベアラとＮｏｎ−ＧＢＲベアラである。ＧＢＲベアラは、ベアラ設定及び変更当時に専用送信リソースが永久的に割り当てられる関連ＧＢＲ値を含む。もし、リソースが十分である場合、ＧＢＲ値以上のビットレートも許容されることができる。これに対し、ｎｏｎ−ＧＢＲベアラは、どのようなビットレートも保障できない。このようなベアラのためには、どのような帯域リソースも永久的に割り当てられない。
【００３５】
また、ＥＰＳベアラは、他の方式により分類されることができる。具体的に、ＥＰＳベアラは、デフォルトベアラ(ｄｅｆａｕｌｔ ｂｅａｒｅｒ)と専用ベアラ(ｄｅｄｉｃａｔｅｄ ｂｅａｒｅｒ)とに区分されることができる。デフォルトベアラは、新たなＰＤＮ連結が設定される時、最初に設定されるＥＰＳベアラであり、ＰＤＮが連結される中に維持される。デフォルトベアラは、全ての新たなＰＤＮ連結と共に生成される。即ち、“Ｉｎｉｔｉａｌ Ａｔｔａｃｈ”を介してＰ−ＧＷにＵＥが連結される時、新たなベアラ、即ち、デフォルトベアラが生成され、そのコンテキスト(ｃｏｎｔｅｘｔ)は、ＰＤＮ連結が維持される中に残っているようになる。ＵＥは、一つ以上のＰ−ＧＷにアタッチ(ａｔｔａｃｈ)されることができ、これによって、ＵＥは、少なくとも一つのデフォルトベアラを有することができる。デフォルトベアラは、ｎｏｎ−ＧＢＲベアラであり、全てのＱｏＳ種類のうち最も低いＱｏＳを有する“ｂｅｓｔ ｅｆｆｏｒｔ ＱｏＳ”を有することができる。“Ｉｎｉｔｉａｌ Ａｔｔａｃｈ”過程で生成されないベアラは、専用ベアラ(ｄｅｄｉｃａｔｅｄ ｂｅａｒｅｒ)に分類されることができる。専用ベアラは、ＵＥでアップリンクパケットフィルタとＰＤＮ ＧＷでダウンリンクパケットフィルタとに関係があるＥＰＳベアラであり、前記フィルタは、特定パケットにのみマッチングされることができる。
【００３６】
以下、ＥＰＳベアラと下位階層ベアラの関係、例えば、Ｓ１、Ｓ５/Ｓ８、ラジオベアラ及びＥ−ＲＡＢの関係を説明する。図３に示すように、ＥＰＳベアラは、複数のインターフェース(Ｐ−ＧＷからＳ−ＧＷにはＳ５/Ｓ８インターフェース、Ｓ−ＧＷからｅＮＢにはＳ１インターフェース、基地局とＵＥとの間にはＬＴＥ−Ｕｕインターフェースとして知られているラジオインターフェース)を通過する。各インターフェースを通過するにあたって、ＥＰＳベアラは、下位階層ベアラと、それぞれのベアラ識別子に基づいて、マッピングされる。各ノードは、互いに異なるインターフェース間でベアラ識別子間の連結関係(ｂｉｎｄｉｎｇ)を記録して維持する。
【００３７】
Ｓ５/Ｓ８ベアラは、Ｐ−ＧＷとＳ−ＧＷとの間のＥＰＳベアラのパケットを送信する。Ｓ−ＧＷは、Ｓ１ベアラとＳ５/Ｓ８ベアラとの間の１対１マッピング関係を格納する。各ベアラは、各インターフェースの両端でＧＴＰ(ＧＰＲＳ Ｔｕｎｎｅｌｉｎｇ Ｐｒｏｔｏｃｏｌ)に基づいたＴＥＩＤ(Ｔｕｎｎｅｌ Ｅｎｄｐｏｉｎｔ ＩＤ)により識別される。
【００３８】
Ｓ１ベアラは、Ｓ−ＧＷと基地局(ｅＮＢ)との間にＥＰＳベアラのパケットを送信する。ラジオベアラ（radio bearer)(ラジオデータベアラとしても知られている)は、ＵＥと基地局との間のＥＰＳベアラのパケットを送信する。各ＥＰＳベアラは、各インターフェースの両端でＧＴＰ(ＧＰＲＳ Ｔｕｎｎｅｌｉｎｇ Ｐｒｏｔｏｃｏｌ)に基づいたＴＥＩＤ(Ｔｕｎｎｅｌ Ｅｎｄｐｏｉｎｔ ＩＤ)により識別される。
【００３９】
追加に、Ｅ−ＲＡＢ(Ｅ−ＵＴＲＡＮ Ｒａｄｉｏ Ａｃｃｅｓｓ Ｂｅａｒｅｒ)の概念が使われることもできる。Ｅ−ＲＡＢは、ＵＥとＥＰＣとの間のＥＰＳベアラのパケットを送信することができ、より具体的に、基地局を介してＳ−ＧＷにパケットを送信することができる。Ｅ−ＲＡＢが存在する場合、Ｅ−ＲＡＢとＥＰＳベアラとの間には１対１マッピング関係が存在する。
【００４０】
同一のＥＰＳベアラにマッピングされたＩＰパケットは、同一のベアラ水準パケットフォワーディング取扱(例えば、スケジューリング政策、キュー(ｑｕｅｕｅ)管理政策、レート調節政策、ＲＬＣ設定)を受ける。異なるベアラ水準のＱＯＳを提供するためには、各ＱｏＳフローのために別個のＥＰＳベアラを形成しなければならず、ユーザＩＰパケットは、互いに異なるＥＰＳベアラにフィルタリングされなければならない。
【００４１】
以下、ＮＡＳ(Ｎｏｎ−Ａｃｃｅｓｓ Ｓｔｒａｔｕｍ)状態及びＡＳ(Ａｃｃｅｓｓ Ｓｔｒａｔｕｍ)状態に対して説明する。ＵＥは、該当ＵＥがＥＰＣに登録されているかどうか、及び活性化又はアイドル状態にあるかどうかを示す複数のＮＡＳ及びＡＳ状態と定義することができる。
【００４２】
第１のＮＡＳ状態、即ち、ＥＭＭ−ＲＥＧＩＳＴＥＲＥＤ状態及びＥＭＭ−ＤＥＲＥＧＩＳＴＥＲＥＤ状態は、ＵＥ及びＭＭＥ内のＥＰＣ移動性制御(ＥＰＣ ｍｏｂｉｌｉｔｙ ｍａｎａｇｅｍｅｎｔ；ＥＭＭ)プロトコルにより管理されるＥＭＭに関連する。ＵＥのＥＭＭ状態は、ＵＥがＥＰＣに登録(ｒｅｇｉｓｔｅｒ)されているかどうかによって決定される。ＥＭＭ−ＲＥＧＩＳＴＥＲＥＤ状態で、ＵＥは、サービングＭＭＥとＳ−ＧＷ(ｓｅｒｖｉｎｇ ｇａｔｅｗａｙ)に登録され、ＩＰアドレスとデフォルトベアラ(ｄｅｆａｕｌｔ ｂｅａｒｅｒ)を有する。
【００４３】
第２のＮＡＳ状態、即ち、ＥＣＭ−ＩＤＬＥ及びＥＣＭ−ＣＯＮＮＥＣＴＥＤ状態は、ＥＣＭ(ＥＰＳ ｃｏｎｎｅｃｔｉｏｎ ｍａｎａｇｅｍｅｎｔ)に関連する。このような状態は、ＥＭＭプロトコルにより管理される。特定の技術標準文書(例えば、３ＧＰＰ ＴＳ ２３.４０１)において、ＥＣＭ−ＩＤＬＥ状態は、ＥＭＭ−ＩＤＬＥ状態とも呼ばれ、ＥＣＭ−ＣＯＮＮＥＣＴＥＤ状態は、ＥＭＭ−ＣＯＮＮＥＣＴＥＤ状態とも呼ばれる。ＵＥのＥＣＭ状態は、ＮＡＳプロトコルの観点で、ＵＥが活性化(ａｃｔｉｖｅ)状態であるか、待機(ｓｔａｎｄｂｙ)状態であるかによって決定される。ＥＣＭ−ＣＯＮＮＥＣＴＥＤ状態で、ＵＥは、活性化される。この状態では、全てのデータベアラとシグナリングラジオベアラ(ｓｉｇｎａｌｌｉｎｇ ｒａｄｉｏ ｂｅａｒｅｒｓ)が可動中(in place)である。待機(ｓｔａｎｄｂｙ)状態で、移動端末は、ＥＣＬ−ＩＤＬＥ状態である。この状態では全てのベアラが可動中である必要がない。したがって、ネットワークは、ＵＥがＥＣＭ−ＩＤＬＥ状態に進入するとき、ＵＥのＳ１ベアラとラジオベアラ(ｒａｄｉｏ ｂｅａｒｅｒ)を解除する。しかし、ＥＰＳベアラとＳ５/Ｓ８ベアラは、依然として可動中である。アイドルモードで、ＭＭＥは、アイドルモードのＵＥが正確にどこにあるかを知らない。その代わりに、ＭＭＥは、ＵＥが位置したトラッキング領域(ｔｒａｃｋｉｎｇ ａｒｅａ；ＴＡ)に対してのみ知っている。トラッキング領域(ＴＡ)に対する具体的内容は、以下で説明する。
【００４４】
ＡＳ状態は、ＲＲＣ(ｒａｄｉｏ ｒｅｓｏｕｒｃｅ ｃｏｎｔｒｏｌ)に関連する。このようなＡＳ状態は、ＵＥ及びサービング基地局のＲＲＣプロトコルにより管理される。ＵＥのＲＲＣ状態は、ＡＳプロトコルの観点で、ＵＥが活性化状態であるか、アイドル(ｉｄｌｅ)状態であるかによって決定される。活性化されたＵＥは、ＲＲＣ_ＣＯＮＮＥＣＴＥＤ状態にある。この状態で、ＵＥは、サービング基地局に割り当てられ、ＳＲＢ１(Ｓｉｇｎａｌｌｉｎｇ Ｒａｄｉｏ Ｂｅａｒｅｒｓ １)上のシグナリングメッセージを使用して自由に通信することができる。待機状態の場合、ＵＥは、ＲＲＣ_ＩＤＬＥ状態にある。ＲＲＣ_ＩＤＬＥ状態での移動性制御は、ＵＥにより実行されるセル再選択(ｃｅｌｌ−ｒｅｓｅｌｅｃｔｉｏｎ)であり、それに対し、ＲＲＣ_ＣＯＮＮＥＣＴＥＤ状態での移動性制御は、Ｅ−ＵＴＲＡＮにより実行されるハンドオーバである。
【００４５】
以下、移動性管理(ｍｏｂｉｌｉｔｙ ｍａｎａｇｅｍｅｎｔ；ＭＭ)の概念とトラッキング領域(ＴＡ)の概念を詳細に説明する。アクセスネットワークにおいて、ＵＥに関連する全ての情報は、データが非活性化される期間中に解除されることができる。このような状態をＥＣＭ−ＩＤＬＥ(ＥＰＳ Ｃｏｎｎｅｃｔｉｏｎ Ｍａｎａｇｅｍｅｎｔ ＩＤＬＥ)状態ということができる。ＭＭＥは、前記アイドル(Ｉｄｌｅ)区間中にＵＥコンテキスト(ｃｏｎｔｅｘｔ)及び設定されたベアラに関連する情報を維持することができる。
【００４６】
ネットワークがＥＣＭ−ＩＤＬＥ状態にあるＵＥに接触できるように、ＵＥは、現在のＴＡ(Ｔｒａｃｋｉｎｇ Ａｒｅａ)を外れるたびにネットワークに新たな位置に対して知らせることができる。このような手順は、“Ｔｒａｃｋｉｎｇ Ａｒｅａ Ｕｐｄａｔｅ”と呼ばれることができ、この手順は、ＵＴＲＡＮ(ｕｎｉｖｅｒｓａｌ ｔｅｒｒｅｓｔｒｉａｌ ｒａｄｉｏ ａｃｃｅｓｓ ｎｅｔｗｏｒｋ)やＧＥＲＡＮ(ＧＳＭ ＥＤＧＥ Ｒａｄｉｏ Ａｃｃｅｓｓ Ｎｅｔｗｏｒｋ)システムで“Ｒｏｕｔｉｎｇ Ａｒｅａ Ｕｐｄａｔｅ”と呼ばれることができる。ＭＭＥは、ＵＥがＥＣＭ−ＩＤＬＥ状態にある間、ユーザ位置を追跡する機能を遂行する。
【００４７】
ＥＣＭ−ＩＤＬＥ状態にあるＵＥに伝達しなければならないダウンリンクデータがある場合、ＭＭＥは、ＵＥが登録されたＴＡ(ｔｒａｃｋｉｎｇ ａｒｅａ)上の全ての基地局(ｅＮｏｄｅＢ)にページングメッセージを送信する。その後、基地局は、無線インターフェース(ｒａｄｉｏ ｉｎｔｅｒｆａｃｅ)上にＵＥに対してページングを開始する。ページングメッセージが受信されると、ＵＥの状態がＥＣＭ−ＣＯＮＮＥＣＴＥＤ状態に変えられる手順を実行する。このような手順は、“Ｓｅｒｖｉｃｅ Ｒｅｑｕｅｓｔ Ｐｒｏｃｅｄｕｒｅ”と呼ばれることができる。これによって、ＵＥに関連する情報は、Ｅ−ＵＴＲＡＮで生成され、全てのベアラは、再設定(ｒｅ−ｅｓｔａｂｌｉｓｈ)される。ＭＭＥは、ラジオベアラ(ｒａｄｉｏ ｂｅａｒｅｒ)の再設定と、基地局上でＵＥコンテキストを更新する役割を遂行する。
【００４８】
前述した移動性管理(ＭＭ)手順が実行される場合、ＭＭ(ｍｏｂｉｌｉｔｙ ｍａｎａｇｅｍｅｎｔ)バックオフタイマが追加に使われることができる。ＭＭバックオフタイマに関連するタイム値が受信されると、ＵＥは、ネットワークで付与したタイム値によってＭＭバックオフタイマを活性化させることができる。現在の３ＧＰＰ規格によると、ＭＭバックオフタイマが駆動中である場合、ＵＥは、ネットワークにＴＡ更新(Ｔｒａｃｋｉｎｇ Ａｒｅａ Ｕｐｄａｔｅ)又はＲＡ更新(Ｒｏｕｔｉｎｇ Ａｒｅａ Ｕｐｄａｔｅ)手順を実行することができない。しかし、ＭＭバックオフタイマが駆動するときに、もし、ネットワークでＵＥのためのダウンリンクデータが発生する場合、ＵＥは、ページングメッセージを受信するため、ＵＥに対するページングは可能である。前述したように、ＵＥがページングメッセージに対応する場合、３ＧＰＰ規格によって“Ｓｅｒｖｉｃｅ Ｒｅｑｕｅｓｔ Ｐｒｏｃｅｄｕｒｅ(サービス要求手順)”が実行されることが要求される。
【００４９】
以下、ＩＳＲ(ｉｄｌｅ ｍｏｄｅ ｓｉｇｎａｌｌｉｎｇ ｒｅｄｕｃｔｉｏｎ)機能の概念を説明する。ＩＳＲ機能は、ＵＥがＥ−ＵＴＲＡＮとＵＴＲＡＮ/ＧＥＲＡＮとの間のように異なるアクセスネットワーク間に移動する時、位置登録(即ち、ｌｏｃａｔｉｏｎ ｕｐｄａｔｅ/ｒｅｇｉｓｔｒａｔｉｏｎ ｕｐｄａｔｅ)のためのシグナリングを減少させることによってネットワークのリソースを効率的に使用する機能である。ＵＥがＥ−ＵＴＲＡＮセルにキャンプオン(ｃａｍｐ−ｏｎ)する場合、ＵＥは、ＭＭＥに位置登録を実行する。セルにキャンプオンするとは、ＵＥがセル選択/再選択(ｃｅｌｌ ｓｅｌｅｃｔｉｏｎ/ｒｅｓｅｌｅｃｔｉｏｎ)動作を完了し、特定のセルを選択したことを意味する。一方、ＵＥは、ＵＴＲＡＮ/ＧＥＡＲＮセルに移動し、そのセルにキャンプオンを実行し、ＳＧＳＮに位置登録を実行することができる。これによって、ＵＥがＵＴＲＡＮとＵＴＲＡＮ/ＧＥＲＡＮとの間で頻繁に位置登録を実行する場合、ネットワークリソースが浪費されることができる。ネットワークリソースの浪費を防ぐためにＩＳＲ機能が提案される。
【００５０】
ＩＳＲ機能によると、ＵＥがＥ−ＵＴＲＡＮとＵＴＲＡＮ/ＧＥＲＡＮを介してＭＭＥとＳＧＳＮ、即ち、２個の移動性管理(ｍｏｂｉｌｉｔｙ ｍａｎａｇｅｍｅｎｔ)ノードの各々に位置登録を実行した場合、アイドルモードのＵＥは、事前に登録されたＲＡＴ(Ｒａｄｉｏ Ａｃｃｅｓｓ Ｔｅｃｈｎｏｌｏｇｉｅｓ)間に移動する場合、又はセルを再選択する場合には追加的な位置登録を実行しない。もし、ＩＳＲが活性化されており、アイドル状態である特定ＵＥに送信するダウンリンクデータがある場合、Ｅ−ＵＴＲＡＮとＵＴＲＡＮ/ＧＥＲＡＮを介してページングが同時に伝達されることができる。これに介して、ネットワークは、ＵＥを成功的に検索し、該当ＵＥにダウンリンクデータを伝達することができる。
【００５１】
以下、セッション管理(Ｓｅｓｓｉｏｎ Ｍａｎａｇｅｍｅｎｔ；ＳＭ)の概念とＳＭバックオフ(Ｓｅｓｓｉｏｎ Ｍａｎａｇｅｍｅｎｔ Ｂａｃｋ−ｏｆｆ Ｔｉｍｅｒ)を詳細に説明する。ＳＭは、ＰＤＮ連結を設定し、追加的なベアラを割り当て、特定のベアラに対するＱｏＳを変更するＳＭシグナリング(ｓｅｓｓｉｏｎ ｍａｎａｇｅｍｅｎｔ ｓｉｇｎａｌｉｎｇ)に関連する。例えば、ＶｏＩＰのような新たなサービスが開始される場合、ＵＥは、ＳＭシグナリングを使用してネットワークに新たなベアラを割り当てることを要求することがきる。追加に、ＵＥは、ＳＭシグナリングを使用して特定ベアラのＱｏＳを変更するように要求することができる。ＳＭシグナリングは、例えば、“ＰＤＮ Ｃｏｎｎｅｃｔｉｖｉｔｙ”、“Ｂｅａｒｅｒ Ｒｅｓｏｕｒｃｅ Ａｌｌｏｃａｔｉｏｎ”、又は“Ｂｅａｒｅｒ Ｒｅｓｏｕｒｃｅ Ｍｏｄｉｆｉｃａｔｉｏｎ Ｒｅｑｕｅｓｔｓ”のような、ＵＥからのＥＳＭ要求(ＥＰＳ Ｓｅｓｓｉｏｎ Ｍａｎａｇｅｍｅｎｔ ｒｅｑｕｅｓｔｓ)により開始されることができる。
【００５２】
現在の３ＧＰＰ規格によると、ＡＰＮベースのＳＭ混雑制御(Ｓｅｓｓｉｏｎ Ｍａｎａｇｅｍｅｎｔ ｃｏｎｇｅｓｔｉｏｎ ｃｏｎｔｒｏｌ)を適用することができる。具体的に、ＭＭＥは、ＵＥからのＥＳＭ(ＥＰＳ Ｓｅｓｓｉｏｎ Ｍａｎａｇｅｍｅｎｔ)要求に対して、特定ＡＰＮに関連するＥＳＭ混雑(ＥＳＭ ｃｏｎｇｅｓｔｉｏｎ)が検出される場合、特定のバックオフタイマを付与して拒絶することができる。前述したタイマは、“ＳＭバックオフタイマ(Ｓｅｓｓｉｏｎ Ｍａｎａｇｅｍｅｎｔ ｂａｃｋ−ｏｆｆ ｔｉｍｅｒ)”と呼ぶことができる。現在の規格によると、ＳＭバックオフタイマは、Ｔ３３９６のような他の用語で呼ぶことができる。
【００５３】
ＭＭＥは、特定のＡＰＮに対して混雑制御(ｃｏｎｇｅｓｔｉｏｎ ｃｏｎｔｒｏｌ)が活性化される場合、ＳＭバックオフタイム(又は、ＳＭバックオフタイム値)を格納することができる。ＭＭＥは、格納されたＳＭバックオフタイマが満了する前に該当ＡＰＮをターゲッティングするＵＥから追加的な要求が受信される場合、拒絶することができる。
【００５４】
ネットワーク(例えば、ＭＭＥ)は、ＥＳＭ(ＥＰＳ Ｓｅｓｓｉｏｎ Ｍａｎａｇｅｍｅｎｔ)要求が拒絶される場合、ＳＭバックオフタイム(又は、タイム値)がＭＭＥからＵＥに伝達される。例えば、ＳＭバックオフタイム値は、ベアラリソース変更又はベアラリソース割当のための要求がＭＭＥにより拒絶される場合に伝達されることができる。具体的に、ＳＭバックオフタイム値は、“ＢＥＡＲＥＲ ＲＥＳＯＵＲＣＥ ＡＬＬＯＣＡＴＩＯＮ ＲＥＪＥＣＴ”メッセージ及び/又は“ＢＥＡＲＥＲ ＲＥＳＯＵＲＣＥ ＭＯＤＩＦＩＣＡＴＩＯＮ ＲＥＪＥＣＴ”メッセージを介してＵＥに伝達することができる。
【００５５】
ＥＰＳセッション管理拒絶メッセージ(ＥＰＳ Ｓｅｓｓｉｏｎ Ｍａｎａｇｅｍｅｎｔ ｒｅｊｅｃｔ ｍｅｓｓａｇｅ)に含まれているＳＭバックオフタイム値が受信されると、ＵＥは、受信されたタイム値によってＳＭバックオフタイマを活性化させる。具体的には、拒絶されたＥＰＳセッション管理要求メッセージ(ＥＰＳ Ｓｅｓｓｉｏｎ Ｍａｎａｇｅｍｅｎｔ Ｒｅｑｕｅｓｔ ｍｅｓｓａｇｅ)によりＡＰＮが提供される場合、ＵＥは、ＰＤＮ連結を解除する場合(即ち、ＰＤＮ連結解除要求(ＰＤＮ Ｄｉｓｃｏｎｎｅｃｔｉｏｎ Ｒｅｑｕｅｓｔ)を送信する場合)を除いては混雑した該当ＡＰＮのためのどのセッション管理手順(例えば、ＰＤＮ連結要求(ＰＤＮ ＣＯＮＮＥＣＴＩＶＩＴＹ ＲＥＱＵＥＳＴ)、ベアラリソース変更要求(ＢＥＡＲＥＲ ＲＥＳＯＵＲＣＥ ＭＯＤＩＦＩＣＡＴＩＯＮ ＲＥＱＵＥＳＴ)又はベアラリソース割当要求(ＢＥＡＲＥＲ ＲＥＳＯＵＲＣＥ ＡＬＬＯＣＡＴＩＯＮ ＲＥＱＵＥＳＴ)を実行する手順)も実行しない。もし、拒絶されたＥＰＳセッション管理要求メッセージ(ＥＰＳ Ｓｅｓｓｉｏｎ Ｍａｎａｇｅｍｅｎｔ Ｒｅｑｕｅｓｔ ｍｅｓｓａｇｅ)によりＡＰＮが提供されない場合、ＵＥは、ＡＰＮがなければどのようなセッション管理要求も開始しない。また、ＵＥは、特定のＡＰＮに対してはＳＭ手順を開始することができる。ＵＥは、ＵＥが活性化できる全てのＡＰＮに対して別途のＳＭバックオフタイマをサポートすることができる。
【００５６】
以下、「ＴＩＮ」の概念を説明する。ＵＥがネットワークに接続する時、ネットワークは、ＵＥで臨時識別情報(ｔｅｍｐｏｒａｒｙ ｉｄｅｎｔｉｔｙ)を割り当てることができる。例えば、ＳＡＥシステムがＵＥにＧＵＴＩ(Ｇｌｏｂａｌ Ｕｎｉｑｕｅ Ｔｅｍｐｏｒａｒｙ Ｉｄｅｎｔｉｔｙ)を割り当てる中に、２Ｇ/３Ｇネットワーク(例えば、ＧＥＲＡＮ/ＵＴＲＡＮ)は、Ｐ−ＴＭＳＩ(Ｐａｃｋｅｔ Ｔｅｍｐｏｒａｒｙ Ｍｏｂｉｌｅ Ｓｕｂｓｃｒｉｂｅｒ Ｉｄｅｎｔｉｔｙ)をＵＥに割り当てることができる。ＵＥは、互いに異なるネットワーク(例えば、ＧＥＲＡＮ/ＵＴＲＡＮ/Ｅ−ＵＴＲＡＮ)間で移動することができるため、ＵＥが最初のコアネットワークノードから新たなコアネットワークノードにハンドオーバする場合、速いハンドオーバのために前記ＵＥのコンテキスト(ｃｏｎｔｅｘｔ)になるように、前記最初のコアネットワークノードは、前記ＵＥの臨時識別情報を利用して発見されなければならない。これによって、ＩＳＲ機能が使われる場合、ＵＥは、ＴＩＮ(Ｔｅｍｐｏｒａｒｙ Ｉｄｅｎｔｉｔｙ ｕｓｅｄ ｉｎ Ｎｅｘｔ ｕｐｄａｔｅ)情報を保有するようになり、ＴＩＮは、コアネットワークと次回のシグナリング(例えば、ＴＡＵ又はＲＡＵ)で使われる移動性管理コンテキスト(ｍｏｂｉｌｉｔｙ ｍａｎａｇｅｍｅｎｔ ｃｏｎｔｅｘｔ)の類型を指示するパラメータである。ＴＩＮの可能な値は、ＧＵＴＩ(即ち、ＭＭＥに知られているＵＥの識別情報)であってもよく、Ｐ−ＴＭＳＩ(即ち、ＳＧＳＮに知られているＵＥの識別情報)であってもよく、“ＲＡＴ ｒｅｌａｔｅｄ ＴＭＳＩ”であってもよい。例えば、ＴＩＮがＧＵＴＩに決定された場合、ＳＧＳＮは、ＲＡＵ要求と共にＧＵＴＩを受信する方式によりＭＭＥからＵＥのコンテキストをフェッチする(ｆｅｔｃｈ)ことができる。ＧＵＴＩは、ＳＧＳＮの本来の識別情報(ｎａｔｉｖｅ ｉｄｅｎｔｉｆｉｃａｔｉｏｎ)ではないため、コンテキストの交換は、ＧＵＴＩを使用することで、前記ＵＥのコンテキストを保有するＭＭＥの位置を検索する方式に実行されることができる。
【００５７】
図４は、ＴＩＮを使用してＩＳＲ活性化を実行する過程を示すフローチャートである。Ｓ４１０ステップでは、ＩＳＲが活性化されない場合、通常のアタッチ(ａｔｔａｃｈ)手順がＥ−ＵＴＲＡＮに実行される。それによって、ＵＥは、該当ＵＥのＴＩＮをＧＵＴＩに設定する。前述したように、ＴＩＮがＧＵＴＩに設定される場合、ＵＥは、以後のＴＡＵ過程やＲＡＵ過程でＧＵＴＩを使用する。
【００５８】
Ｓ４２０ステップにおいて、ＵＥは、アイドルモードにあるが、ＧＥＲＡＮ/ＵＴＲＡＮを所望するアクセス方法に選択する。ＵＥは、ＴＩＮの指示によってＧＵＴＩを使用してＳＧＳＮにＲＡＵ要求を送信する。具体的に、ＵＥは、ルーティング領域識別子(Ｒｏｕｔｉｎｇ Ａｒｅａ ＩＤ；ＲＡＩ)とＧＵＴＩからマッピングされたＰ−ＴＭＳＩを含むＲＡＵ要求をＳＧＳＮに送信する。
【００５９】
Ｓ４３０ステップにおいて、ＳＧＳＮは、該当ＵＥのコンテキストをＭＭＥからフェッチすることができ、ＭＭＥは、ＩＳＲサポートを示し、ＳＧＳＮは、ＭＭＥがＵＥのための連結を設立したＳＧＷに連結することができるかを決定する。Ｓ４４０ステップにおいて、ＨＳＳにＳＧＳＮが登録を実行する。
【００６０】
Ｓ４５０ステップの場合、ＲＡＵ受諾メッセージ内にはＩＳＲ活性化のための指示情報が含まれる。現行３ＧＰＰ規格によると、ＵＥは、ＩＳＲ機能を活性化する場合、ＴＩＮを“ＲＡＴ ｒｅｌａｔｅｄ ＴＭＳＩ”に設定するようになっている。もし、ＴＩＮが“ＲＡＴ ｒｅｌａｔｅｄ ＴＭＳＩ”に設定される場合、次回のＴＡＵ又はＲＡＵ手順のためのＵＥの識別情報は、ＵＥが現在キャンプオン(ｃａｍｐ−ｏｎ)されているセルの類型によって決定される。即ち、ＴＩＮが“ＲＡＴ ｒｅｌａｔｅｄ ＴＭＳＩ”の場合、ＵＥは、Ｅ−ＵＴＲＡＮセルにキャンプオンされている場合にはＧＵＴＩを使用し、ＧＥＲＡＮ/ＵＴＲＡＮセルにキャンプオンされている場合にはＰ−ＴＭＳＩを使用する。
【００６１】
本明細書は、移動性管理及びセッション管理に関連する多数の例を含んでいる。以下、ＩＳＲ機能と関連する複数のタイマを制御する方法に関連する第１の実施例を説明する。
【００６２】
第１の実施例は、ＬＴＥネットワークと２Ｇ/３Ｇネットワークのように各ネットワークがＩＳＲ機能に関連する複数のタイマを有する互いに異なる２個のネットワークを含む無線通信システムに適用可能である。図５は、ＩＳＲ機能と関連する手順を示すフローチャートである。Ｓ５００ステップにおいて、ＵＥは、ＵＥコンテキストがＳＧＳＮにより維持されるようにＲＡＵ手順を成功的に実行する。また、成功的なＲＡＵ手順の結果として、Ｐ−ＲＡＵタイマが開始される。Ｐ−ＲＡＵタイマは、ＵＥの動作可能性(ａｖａｉｌａｂｉｌｉｔｙ)を周期的に報告するタイマであり、ＵＥとＳＧＳＮにより維持される。ＳＧＳＮにより維持されるＰ−ＲＡＵタイマの時間値は、ＵＥにより維持されるＰ−ＲＡＵタイマの時間値に比べて４分長く設定される。現行３ＧＰＰ標準文書によると、Ｐ−ＲＡＵタイマは、Ｔ３３１２で表示される。
【００６３】
Ｐ−ＲＡＵの駆動中、ＵＥコンテキストは、コアネットワークノード(即ち、ＳＧＳＮ)により維持され、追加的なＲＡＵ手順が要求されない。次回のＲＡＵ手順が成功的に完了する場合、Ｐ−ＲＡＵタイマはリセットされ、従前のＰ−ＲＡＵタイマの駆動可否に関係なく再開始される。
【００６４】
Ｓ５０５ステップにおいて、ＵＥは、Ｅ−ＵＴＲＡＮの領域に移動した後、成功的にＴＡＵ手順を実行する。具体的に、ＵＥは、ＭＭＥにＴＡＵ要求メッセージを送信する。ＵＥが新たなネットワークに移動する前に従前のネットワーク(ＧＥＲＡＮ/ＵＴＲＡＮ)にあったため、ＴＡＵ内のＵＥの識別情報は、Ｐ−ＴＭＳＩ及びＲＡＩ(ｒｏｕｔｉｎｇ ａｒｅａ ｉｄｅｎｔｉｔｙ)に基づいて設定される。従前のネットワーク(ＧＥＲＡＮ/ＵＴＲＡＮ)に関連するＵＥ識別情報は、ＴＡＵ要求メッセージ内に含まれるため、ネットワークは、ＩＳＲを駆動させることができる。具体的に、ＴＡＵ要求メッセージに対応して、ＭＭＥは、ＩＳＲが駆動(即ち、活性化)されたことを指示するＴＡＵ受諾メッセージを送信することができる。ＩＳＲ機能を活性化すると、ＵＥとＭＭＥは、各々、それらのＰ−ＴＡＵタイマを開始する。Ｐ−ＲＡＵタイマと同様に、Ｐ−ＴＡＵタイマは、ＵＥの動作可能性(ａｖａｉｌａｂｉｌｉｔｙ)を周期的に報告するタイマであり、ＵＥとコアネットワークノード(即ち、ＭＭＥ)により維持される。追加に、ＭＭＥにより使われるＰ−ＴＡＵタイマ時間値は、ＵＥにより使われるＰ−ＴＡＵタイマに比べて４分長く設定される。現行３ＧＰＰ規格文書によると、Ｐ−ＴＡＵタイマは、Ｔ３４１２で表示される。
【００６５】
Ｐ−ＲＡＵタイマ及びＰ−ＴＡＵタイマに追加し、ＩＳＲタイマが駆動される場合、追加的なタイマが開始されることができる。具体的に、ＩＳＲ非活性化タイマ(ｄｅａｃｔｉｖａｔｅ ＩＳＲ ｔｉｍｅｒ)がＰ−ＴＡＵタイマとＰ−ＲＡＵタイマにより開始されることができる。ＩＳＲ非活性化タイマ(ｄｅａｃｔｉｖａｔｅ ＩＳＲ ｔｉｍｅｒ)は、ＵＥとコアネットワークノードの両方のために設定されることができ、ＵＥが他のＲＡＴに位置し、及びＰ−ＴＡＵ/ＲＡＵタイマが満了した場合にＰ−ＴＡＵ/ＲＡＵを実行することができない状況で、ＵＥ及びネットワークの両方で開始する。ＩＳＲ非活性化タイマ(ｄｅａｃｔｉｖａｔｅ ＩＳＲ ｔｉｍｅｒ)の駆動中、ＵＥコンテキストは、コアネットワークノードで維持される。Ｐ−ＲＡＵタイマ/Ｐ−ＴＡＵタイマと同様に、ネットワークにより使われるＩＳＲ非活性化タイマ(ｄｅａｃｔｉｖａｔｅ ＩＳＲ ｔｉｍｅｒ)の時間値は、ＵＥにより使われるタイマに比べて４分長く設定される。現行３ＧＰＰ規格によると、ＧＥＲＡＮ/ＵＴＲＡＮで使われるＩＳＲ非活性化タイマ(ｄｅａｃｔｉｖａｔｅ ＩＳＲ ｔｉｍｅｒ)は、Ｔ３３２３で表示され、Ｅ−ＵＴＲＡＮで使われるＩＳＲ非活性化タイマ(ｄｅａｃｔｉｖａｔｅ ＩＳＲ ｔｉｍｅｒ)は、Ｔ３４２３で表示される。
【００６６】
ＩＳＲ機能が活性化された後、ＵＥは、Ｓ５１０に示すように、ＲＲＣ連結を設定するための試みをすることができる。図５において、ＵＥのＲＲＣ連結の試みは、ネットワーク混雑により成功的でないと仮定する。この場合、ＵＥは、前述したように、ＭＭバックオフ(ＭＭ−ＢＯ)タイマ値を受けるようになる。ＭＭ−ＢＯタイマは、Ｔ３３４６タイマで表示される。前述したように、ＭＭ−ＢＯタイマの駆動中、ＵＥはＴＡＵ手順が実行できなくなる。
【００６７】
Ｔ３３４６が駆動される場合、ＵＥは、依然としてＬＴＥ領域にあり、ＵＥのＴ３３１２タイマは満了することができる。この場合、ＵＥは、ＥＭＭ−ＲＥＧＩＳＴＥＲＥＤ.ＮＯＲＭＡＬ−ＳＥＲＶＩＣＥ状態にあるが、ＭＭＥにＴＡＵ手順を実行することができず、ＵＥの状態によりＩＳＲ非活性化タイマ(ｄｅａｃｔｉｖａｔｅ ＩＳＲ ｔｉｍｅｒ)を開始しない。
【００６８】
図５に示すように、ＵＥは、再び従前のネットワークの領域に戻ることができ、タイマＴ３３４６が満了した後、ＲＡＵ要求メッセージを送信することができる。Ｓ５１５ステップにおいて、ＵＥは、ＲＡＵ要求メッセージを送信し、ＩＳＲ機能が駆動(即ち、活性化)されたことを指示するＲＡＵ受諾メッセージを受信することができる。ＲＡＵ動作がＳＧＳＮに成功的に遂行されると、ＳＧＳＮにより維持されたＩＳＲ非活性化タイマ(ｄｅａｃｔｉｖａｔｅ ＩＳＲ ｔｉｍｅｒ)は中止され、Ｐ−ＲＡＵタイマは図５に示すようにＰ−ＲＡＵタイマが再開始される。
【００６９】
前述したように、ＭＭＥのＩＳＲ非活性化タイマ(ｄｅａｃｔｉｖａｔｅ ＩＳＲ ｔｉｍｅｒ)は、ＩＳＲ機能の駆動中には追加に開始される。しかし、もし、ＭＭＥに次回のＴＡＵ手順が実行されない場合、ＩＳＲ非活性化タイマ(ｄｅａｃｔｉｖａｔｅ ＩＳＲ ｔｉｍｅｒ)は満了する。Ｓ５２０ステップにおいて、もし、ＭＭＥのＩＳＲ非活性化タイマ(ｄｅａｃｔｉｖａｔｅ ＩＳＲ ｔｉｍｅｒ)が満了する場合、ＭＭＥは、ＳＧＳＮに解除通知(ｄｅｔａｃｈ ｎｏｔｉｆｉｃａｔｉｏｎ)メッセージを送信し、ＭＭＥにより維持されたＵＥコンテキスト情報を解除するようになる。
【００７０】
ＵＥコンテキストが解除された後、ＵＥは、Ｅ−ＵＴＲＡＮの領域に進入し、ＭＭＥにＴＡＵ要求メッセージを追加に送信することができる。この場合、ＵＥのＴＩＮは、“ＲＡＴ ｒｅｌａｔｅｄ ＴＭＳＩ”であり、ＵＥは、Ｅ−ＵＴＲＡＮセルにキャンプオンするため、ＴＡＵ要求メッセージ上でのＵＥの識別情報は、ＧＵＴＩに基づく。この場合、ＧＵＴＩは、ＭＭＥの本来の識別情報(ｎａｔｉｖｅ ｉｄｅｎｔｉｆｉｃａｔｉｏｎ)であるため、ＭＭＥは、ＳＧＳＮからＵＥのコンテキストをフェッチすることができない。しかし、ＭＭＥは、ＵＥコンテキストをそれ以上維持していないため、ＭＭＥがＵＥコンテキスト情報を取得できないという技術的問題が発生する。
【００７１】
言い換えれば、ＵＥがＬＴＥシステムでＩＳＲ機能が活性化された状態で、ＵＥがサービス要求を実行したが、ＲＲＣ連結が拒絶されてＭＭ−ＢＯ時間値を受けた場合、ＬＴＥ領域にあるＵＥは、Ｐ−ＴＡＵ満了以後にもＭＭ−ＢＯタイマの駆動中にはＴＡＵを実行することができず、ＩＳＲ非活性化タイマを開始することができず、ＵＥが２Ｇ/３Ｇ領域に移動し、ＭＭ−ＢＯタイマが満了し、ＵＥがＳＧＳＮに登録し、依然としてＩＳＲ活性化である状態で、ＭＭＥの黙示的な解除タイマが満了する場合、ＭＭＥは、ＳＧＳＮに解除通知を送り、ＵＥは、ＬＴＥに移動する時、ＴＩＮを“ＲＡＴ ｒｅｌａｔｅｄ ＴＭＳＩ”に設定するようになり、この場合に問題が発生する。この場合、Ｔ３４１２及びＴ３４３４のうちいずれも駆動していないため、ＴＡＵの実行如何が不明である。また、ＴＡＵを実行すると仮定しても、ＴＩＮの誤ったセッティングにより、ＵＥは、Ｐ−ＴＭＳＩからマッピングされたＧＵＴＩではなくネイティブＧＵＴＩを使用する。ＭＭＥは、それ以上ネイティブＧＵＴＩからＵＥコンテキストを検索しないため、問題が発生する。
【００７２】
図６に示す一例は、特定の状況でＩＳＲ非活性化タイマを制御する方式により前述した問題を解決する。図６は、無線通信システムにおいてＩＳＲ機能に関連するタイマを制御する方法を示すフローチャートである。図６に示す一例は、ＯＦＤＭシンボルに基づいて通信する第１のタイプのネットワーク(例えば、ＬＴＥ)と第１のタイプのネットワークとは異なる第２のタイプのネットワーク(例えば、２Ｇ/３Ｇ)とを含む無線通信システムに適用されることができる。具体的に、図６は、ＬＴＥ領域と２Ｇ/３Ｇネットワーク領域との間に移動するＵＥに適用されることができる。
【００７３】
図６を参考すると、Ｓ６１０ステップにおいて、ＵＥは、ＩＳＲ機能が駆動されたことを指示するＵＥ位置登録受諾メッセージ(ＵＥ ｌｏｃａｔｉｏｎ ｒｅｇｉｓｔｒａｔｉｏｎ ａｃｃｅｐｔ ｍｅｓｓａｇｅ)を受信する。ＵＥ位置登録受諾メッセージは、ＬＴＥを介して送信されるＴＡＵ受諾メッセージ、又は２Ｇ/３Ｇネットワークを介して受信されるＲＡＵ受諾メッセージである。ＩＳＲ機能が駆動されたことを指示する情報は、ＥＰＳ更新結果(ＥＰＳ ｕｐｄａｔｅ ｒｅｓｕｌｔ)の情報要素に含まれることができる。ＥＰＳ更新結果は、１オクテットの情報要素であり、４ビットの‘ＥＰＳ ｕｐｄａｔｅ ｒｅｓｕｌｔ ｉｎｆｏｒｍａｔｉｏｎ ｅｌｅｍｅｎｔ ｉｄｅｎｔｉｆｉｅｒ’、その次の１ビットの‘Ｓｐａｒｅ’ビット(０にコーディングされる)、及びその次の３ビットのＥＰＳ ｕｐｄａｔｅ ｒｅｓｕｌｔ ｖａｌｕｅを含む。ＥＰＳ ｕｐｄａｔｅ ｒｅｓｕｌｔ ｖａｌｕｅに含まれる３ビット情報は、ＴＡ(ｔｒａｃｋｉｎｇ ａｒｅａ)が更新される場合、‘０００’に設定され、ｃｏｍｂｉｎｅｄ ＴＡ/ＬＡ(ＴＡはＥ−ＵＴＲＡＮと関連し、ＬＡ(ｌｏｃａｔｉｏｎ ａｒｅａ)はＧＥＲＡＮ/ＵＴＲＡＮと関連する)が更新される場合、‘００１’に設定される。また、ＴＡが更新されてＩＳＲ機能が活性化された場合、‘１００’に設定され、ｃｏｍｂｉｎｅ ＴＡ/ＬＡが更新されてＩＳＲ機能が活性化される場合、‘１０１’に設定される。
【００７４】
Ｓ６２０において、ＩＳＲ機能が活性化されたことを指示するＵＥ位置登録受諾メッセージを受信すると、ＵＥは、Ｐ−ＴＡＵタイマを開始する。前述したように、Ｐ−ＴＡＵタイマは、ＭＭＥと関連し、ＵＥの動作可能性を周期的に通報するために使われる。追加に、Ｐ−ＴＡＵタイマに続いて、ＩＳＲ非活性化タイマが前述した本明細書の一例により指示される条件で開始することができる。一方、ＩＳＲ機能が活性化された場合、ＵＥは、Ｐ−ＴＡＵタイマ(Ｔ３４１２タイマ)とＰ−ＲＡＵタイマ(Ｔ３３１２)タイマの両方ともを維持することができる。ＵＥに駆動される二つのタイマは、ＵＥでＭＭＥ及びＳＧＳＮを独立的にアップデートするように駆動される。Ｐ−ＴＡＵタイマの時間値は、多様な方式により定義されることができる。例えば、該当時間値は、既設定されたり、ＵＥ位置登録受諾メッセージにより与えられたりすることができる。
【００７５】
Ｓ６３０ステップにおいて、ＵＥは、ＭＭ−ＢＯ時間値を受信し、ＭＭ−ＢＯタイマを開始する。前述ように、ＭＭ−ＢＯ時間値は、ＲＲＣ連結が解除され、又は拒絶される場合に提供することができる。具体的には、ＭＭ−ＢＯ時間値は、ＲＲＣ連結解除メッセージ、ＲＲＣ連結拒絶メッセージ、ＲＡＵ拒絶メッセージ、ＴＡＵ拒絶メッセージを介して提供されることができる。
【００７６】
Ｓ６４０ステップにおいて、第１のタイプのネットワーク(例えば、ＬＴＥ)の領域にあるＵＥは、ＭＭ−ＢＯタイマが駆動中である場合、Ｐ−ＴＡＵタイマが満了すると、ＩＳＲ非活性化タイマを開始する。図５のＳ５２５で説明したように、ＵＥがＬＴＥ領域にあり、ＭＭ−ＢＯが動作する状況で、もし、ＩＳＲ非活性化タイマが開始されない場合、ＵＥコンテキストは、ＳＧＳＮからフェッチすることができない。したがって、ＬＴＥシステムにおけるＵＥは、ＭＭ−ＢＯタイマが満了し、Ｐ−ＴＡＵタイマが満了する場合、ＩＳＲ非活性化タイマを開始する。即ち、ＵＥが依然としてＥＭＭ−ＲＥＧＩＳＴＥＲＥＤ.ＮＯＲＭＡＬ−ＳＥＲＶＩＣＥ状態にあるとしても、ＭＭ−ＢＯタイマが満了し、Ｐ−ＴＡＵタイマが満了する場合、ＩＳＲ非活性化タイマを開始することが好ましい。
【００７７】
前述したステップにおいて、ＵＥは、ＩＳＲ非活性化タイマが満了した後、ＴＩＮをＰ−ＴＭＳＩに設定することができる。適切なＴＩＮ設定を介して、それ以上ＵＥコンテキストを維持しないＭＭＥにＴＡＵを実行するためにＰ−ＴＭＳＩとＲＡＩを使用することができる。
【００７８】
以下、本明細書の第２の実施例に対して説明する。本明細書の第２の実施例は、ＳＭ(ｓｅｓｓｉｏｎ ｍａｎａｇｅｍｅｎｔ)シグナリング/タイマに関連し、前述したＡＰＮ(ａｃｃｅｓｓ ｐｏｉｎｔ ｎａｍｅ)にも関連する。また、該当実施例は、ＩＭＳＩ(ｉｎｔｅｒｎａｔｉｏｎａｌ ｍｏｂｉｌｅ ｓｕｂｓｃｒｉｂｅｒ ｉｄｅｎｔｉｔｙ)ページングとも関連する。
【００７９】
ページング手順は、ＵＥにＮＡＳ(ｎｏｎ−ａｃｃｅｓｓ ｓｔｒａｔｕｍ)シグナリング連結の設立を要求するネットワークにより使われる。ページングのための目的として、移動端末は、Ｓ−ＴＭＳＩ(ｓｙｓｔｅｍ ａｒｃｈｉｔｅｃｔｕｒｅ ｅｖｏｌｕｔｉｏｎ ｔｅｍｐｏｒａｒｙ ｍｏｂｉｌｅ ｓｕｂｓｃｒｉｂｅｒ ｉｄｅｎｔｉｔｙ)を使用してページングされ、又はＩＭＳＩを使用してページングされる。ＩＭＳＩを使用してＥＰＳサービスのためのページングをすることは、ネットワークでエラー回復のために使用する非正規的(ａｂｎｏｒｍａｌ)手順である。具体的には、ＵＥのＩＭＳＩを使用してページングを受信する場合、ＵＥは、再アタッチ(ｒｅ−ａｔｔａｃｈ)手順を実行する。
【００８０】
一般的に、商業通信網運営者は、ＵＥがアタッチ(ａｔｔａｃｈ)手順中に特定のＡＰＮにアタッチされるように要求する。例えば、運営者は、ａｌｗａｙｓ−ｏｎ ＩＭＳ ＡＰＮにアタッチすることことを要求できる。
【００８１】
しかし、前述したページングが受信される中に、該当ＡＰＮに対するＳＭバックオフタイマ(Ｔ３３９６で表示される)が動作中である場合がある。もし、Ｔ３３９６タイマが動作中である場合、ＵＥは、アタッチ手順中には該当ＡＰＮに対してＰＤＮ連結要求手順(ＰＤＮ ｃｏｎｎｅｃｔｉｖｉｔｙ ｒｅｑｕｅｓ ｔｐｒｏｃｅｄｕｒｅ)を開始することができない。これによって、ＵＥは、ＩＭＳＩページングを適切に対応できない場合が発生する。
【００８２】
このような問題を解決するために、ＡＰＮに関連するＴ３３９６タイマを中断したり、ＩＭＳＩページングを受信した以後には全てのＴ３３９６タイマを中断することを提案する。
【００８３】
図７は、ＳＭタイマを制御するフローチャートである。図７のＳ７１０ステップによると、ＵＥは、ＭＭＥにＳＭ要求メッセージを送信する。ＳＭ要求メッセージの一例は、ＰＤＮ連結要求(ＰＤＮ ｃｏｎｎｅｃｔｉｖｉｔｙ ｒｅｑｕｅｓｔ)、ベアラリソース変更要求メッセージ(ｂｅａｒｅｒ ｒｅｓｏｕｒｃｅ ｍｏｄｉｆｉｃａｔｉｏｎ ｒｅｑｕｅｓｔ ｍｅｓｓａｇｅ)、及び/又はベアラリソース割当要求メッセージ(ｂｅａｒｅｒ ｒｅｓｏｕｒｃｅ ａｌｌｏｃａｔｉｏｎ ｒｅｑｕｅｓｔ ｍｅｓｓａｇｅ)を含む。
【００８４】
Ｓ７２０ステップにおいて、ＡＰＮに関連するＳＭバックオフ時間値を含むＳＭ要求メッセージに対応して、ＵＥは、ＳＭ応答メッセージを受信する。ＭＭＥから受信されるＳＭ応答メッセージの一例は、ＰＤＮ連結拒絶(ＰＤＮ ｃｏｎｎｅｃｔｉｖｉｔｙ ｒｅｊｅｃｔ)、ベアラリソース変更拒絶(ｂｅａｒｅｒ ｒｅｓｏｕｒｃｅ ｍｏｄｉｆｉｃａｔｉｏｎ ｒｅｊｅｃｔ)、及び/又はベアラリソース割当拒絶(ｂｅａｒｅｒ ｒｅｓｏｕｒｃｅ ａｌｌｏｃａｔｉｏｎ ｒｅｊｅｃｔ)がある。Ｓ７３０ステップにおいて、ＵＥは、受信されたＳＭバックオフ時間値に基づいてＳＭバックオフタイマを開始する。
【００８５】
Ｓ７４０ステップにおいて、ＵＥは、基地局からＩＭＳＩページングメッセージを受信する。これによって、Ｓ７５０ステップにおいて、ＵＥは、ＳＭバックオフタイマ(即ち、駆動中である全てのタイマ又はアタッチのために使われるＡＰＮに関連する特定のタイマ)を中止させる。
【００８６】
図８は、前述した一例が適用される無線装置の一例を示す。このような装置は、ＵＥの一部で具現することができ、また、コアネットワーク(ＣＮ)エンティティの一部で具現することができる。無線装置１０００は、プロセッサ１０１０、メモリ１０２０、ＲＦ(ｒａｄｉｏ ｆｒｅｑｕｅｎｃｙ)部１０３０を含むことができる。
【００８７】
プロセッサ１０１０は、前述した機能、手順、方法を具現するように設定することができる。ラジオインターフェースプロトコル(ｒａｄｉｏ ｉｎｔｅｒｆａｃｅ ｐｒｏｔｏｃｏｌ)の階層(ｌａｙｅｒ)は、プロセッサ１０１０に具現することができる。プロセッサ１０１０は、図４〜図７に示す複数のタイマを制御することができる。メモリ１０２０は、プロセッサ１０１０に動作的に連結され、ＲＦユニット１０３０は、プロセッサ１０１０に動作的に連結することができる。
【００８８】
プロセッサ１０１０は、ＡＳＩＣ(ａｐｐｌｉｃａｔｉｏｎ−ｓｐｅｃｉｆｉｃ ｉｎｔｅｇｒａｔｅｄ ｃｉｒｃｕｉｔ)、他のチップセット、論理回路及び/又はデータ処理装置を含むことができる。メモリ１０２０は、ＲＯＭ(ｒｅａｄ−ｏｎｌｙ ｍｅｍｏｒｙ)、ＲＡＭ(ｒａｎｄｏｍ ａｃｃｅｓｓ ｍｅｍｏｒｙ)、フラッシュメモリ、メモリカード、格納媒体及び/又は他の格納装置を含むことができる。ＲＦ部１０３０は、無線信号を処理するためのベースバンド回路を含むことができる。実施例がソフトウェアで具現される時、前述した技法は前述した機能を遂行するモジュール(過程、機能など)で具現することができる。モジュールは、メモリ１０２０に格納され、プロセッサ１０１０により実行されることができる。メモリ１０２０は、プロセッサ１０１０の内部又は外部にあり、広く知られている多様な手段によりプロセッサ１０１０と連結することができる。
【００８９】
前述した一例に基づいて本明細書による多様な技法が図面と図面符号を介して説明された。説明の便宜のために、各技法は、特定の順序によって複数のステップやブロックで説明したが、このようなステップやブロックの具体的順序は、請求項に記載された発明を制限するものではなく、各ステップやブロックは、異なる順序で具現されたり、異なるステップやブロックと同時に実行されることが可能である。また、通常の技術者であれば、各ステップやブロックが限定的に記述されるものではなく、発明の保護範囲に影響を与えない範囲内で少なくとも一つの他のステップが追加又は削除されることが可能であることを理解することができる。
【００９０】
前述した実施例は、多様な一例を含む。通常の技術者であれば、発明の全ての可能な一例の組合せが説明されることができないという点と、本明細書の記述から多様な組合せが派生することができるという点と、を理解することができる。したがって、発明の保護範囲は、請求項に記載された範囲を外れない範囲内で、詳細な説明に記載された多様な一例を組合せて判断しなければならない。
【図２】
0006042954.tif 000002
【図１】
0006042954.tif 000003
【図３】
0006042954.tif 000004
【図４】
0006042954.tif 000005
【図５】
0006042954.tif 000006
【図６】
0006042954.tif 000007
【図７】
0006042954.tif 000008
【図８】
0006042954.tif 000009